(57)【要約】【課題】内部に水分を含有する物体とともに収容物を受け入れ可能に組立形成され、使用時の取扱いを容易にして、用済み後は防水表層部を剥離してベースの紙層とフィルムとに分別してリサイクルが容易な、飲料の冷却などに適した容器を提供する。【解決手段】一枚のブランクから組立てられて底部１１よりも開口部８が広い形状に形成される防水構造の容器１で、正方形の底部１１の各辺に連接する所要長さの側面板部１２，１２，１３，１３の両側をそれぞれ折畳み可能なマチ１４で繋いで四つ折りされるように形成され、それら各側面板部間でのマチ部位のうち二部位を外側で接着して開口時に、開口側が拡開形状で保たれるようにされ、前記各マチ１４の折り曲げ線に沿って折畳むと前記底部１１の各辺に沿った方形断面の上部を開口した箱形となるようにされ、このブランク形成シートの内面に剥離可能なプラスチックフィルム層を備える複合シートで形成されている。【選択図】図１
2006335361.tif 000002
【特許請求の範囲】
【請求項１】
一枚のブランクから組立てられて底部よりも開口部が広い形状に形成される防水構造の容器であって、正方形の底部の各辺に連接する所要長さの側面板部両側をそれぞれ折畳み可能なマチで繋いで四つ折りされるように形成され、それら各側面板部間でのマチ部位のうち二部位を外側で接着して、開口時に開口側が拡開形状で保たれるようにされ、前記各マチの折り曲げ線に沿って折畳むと前記底部の各辺に沿った方形断面の上部を開口した箱形となるようにされ、このブランク形成シートの内面に剥離可能なプラスチックフィルム層を備える複合シートで形成されていることを特徴とする容器。
【請求項２】
前記側面板部の開口側端部を適宜寸法延長して容器の持ち手とされている請求項１に記載の容器。
【請求項３】
前記側面板部の開口側の少なくとも一箇所の延長部分に、前記シート内面に積層されるプラスチックフィルム層の剥離開始用摘持部を設けてある請求項２に記載の容器。
【発明の詳細な説明】
【技術分野】
【０００１】
本発明は、主としてワインや日本酒などの飲料を手軽に冷やすのに用いられ、またボトルに充填された飲料を収納して輸送する際の緩衝体としても役立つ容器に関するものである。
【背景技術】
【０００２】
従来、ワインを飲む場合、ワインを程よく冷やすことにより味わいよく飲むことができるので、レストランなどでは氷詰めされたワインクーラボックスにてビン入りのワインを冷やした状態で提供されている。しかしながら、一般家庭で購入したワインを飲むような場合に備えてワインクーラボックスを用意することは不経済であるので、行われていない。そこで、一般家庭でも手軽にレストランなどにおけるワインクーラボックスで冷やしたワインを味わえるようにする飲料冷却用紙製容器が提案されている（例えば特許文献１あるいは特許文献２参照）。
【０００３】
この特許文献１によるものは、内面を樹脂フィルムで防水加工された一枚の紙シートのブランクで、六角形の底板の各辺からそれぞれ伸びる側面板をそれぞれマチで繋いで折り曲げて各側面板同士を上部で係止片により相互に係脱可能に係合させて植木鉢状に形成でき、その内部にボトルを立てて周囲に氷を詰めることができるようにしたもので、不用になると廃棄処分できるものであることが記載されている。そして、この飲料冷却用紙製容器は、ワインの包装箱に縮径して挿入することで、ワインとともに包装して緩衝体の働きをさせ得ることができる旨記載されている。また、特許文献２によるものは、正八角形の底板の周囲にそれぞれ側壁板を繋いで、それら側壁板間にマチを配し、これらを折目線に沿って折り曲げて係止部分と一部の内折り曲げでの接着で八角形の容器に組立てられ、その内部に氷を詰めてワインクーラボックスとなるものが記載されている。
【０００４】
また、近ごろ清酒（日本酒）でも冷やして飲むことが多くなり、この冷酒の場合、飲食店などでは清酒を間接的に氷で低温を持続できる冷酒用の特別な容器で小分けした清酒を提供している。しかしながら、一般家庭で冷酒を飲む場合、特に多人数での酒席では、冷酒用の容器を用いるよりも小容量の酒瓶をワインと同様に冷やして飲むことが雰囲気的に望ましいので、前記ワインクーラボックスのような機能を備える容器が望まれている。このようなビン冷却用の容器については、一般的に常用されるものではないので、使用済み後は、廃棄処分することが望まれている。
【０００５】
【特許文献１】特開２００３−７２７３６号公報
【特許文献２】特開２００２−３３７８４７号公報
【発明の開示】
【発明が解決しようとする課題】
【０００６】
前記先行技術として開示されているものは、いずれも紙製の組立容器で、使用に際し組立てて内部に氷詰めすることで簡便にクーラとしてボトルを冷やすことができ、用済み後は廃棄処分できるので便利である。しかしながら、このものでは内部にビンを挿入して氷詰めするので、水分が漏れないように防水加工を必要とする。そのために、廃棄処分するときには樹脂加工された複合シートであるので、そのままではリサイクルで資源を再活用するにはいささか問題がある。つまり、回収されるとしても樹脂皮膜が紙シートと一体となって付着しているので、そのまま再生紙原料として溶解するには多くの手数を要し、再生にかかるコストが著しくアップすることから、十分な回収が行われないという問題がある。また、焼却処分される時には有害物が発生し、環境汚染の一因となり好ましくない。また、特許文献１に記載のものでは、包装箱に収納してボトルとともに包装して緩衝体の役目も果たすことが記載されているが、この場合、箱から取出すにはその包装箱の一部にジッパ部を設けておいて、そのジッパ部で箱を切開いてからでないと取出せないという問題点がある。そのほかに、特許文献１による飲料冷却用紙製容器では、組立時各部位が上部の係止部分での係止操作を終えないと折り曲げだけで容器を形成されているので安定性に欠けるという問題点がある。
【０００７】
本発明は、このような問題点を解決するためになされたもので、表層が剥離可能な樹脂フィルムで覆った複合シートを用いて、内部に水分を含有する物体とともに収容物を受け入れ可能に組立形成され、使用時の取扱いを容易にして、用済み後は防水表層部を剥離してベースの紙層とフィルムとに分別してリサイクルが容易な、飲料の冷却などに適した容器を提供することを目的とするものである。
【課題を解決するための手段】
【０００８】
前記目的を達成するために、本発明による容器は、
一枚のブランクから組立てられて底部よりも開口部が広い形状に形成される防水構造の容器であって、正方形の底部の各辺に連接する所要長さの側面板部両側をそれぞれ折畳み可能なマチで繋いで四つ折りされるように形成され、それら各側面板部間でのマチ部位のうち二部位を外側で接着して、開口時に開口側が拡開形状で保たれるようにされ、前記各マチの折り曲げ線に沿って折畳むと前記底部の各辺に沿った方形断面の上部を開口した箱形となるようにされ、このブランク形成シートの内面に剥離可能なプラスチックフィルム層を備える複合シートで形成されていることを特徴とするものである。
【０００９】
前記発明において、前記側面板部の開口側端部を適宜寸法延長して容器の持ち手とされているのがよい（第２発明）。また、前記側面板部の開口側の少なくとも一箇所の延長部分に、前記シート内面に積層されるプラスチックフィルム層の剥離開始用摘持部を設けておくのが好ましい（第３発明）。
【発明の効果】
【００１０】
本発明によれば、内面を防水処理されて飲料の冷却用として簡便に使用できる紙製の容器を、シート内面に剥離可能なプラスチックフィルム層を備える複合シートで構成されているので、使用済み後に廃棄処分するときは、内面のプラスチックフィルムを剥がして紙シートとそのプラスチックフィルムとに分別して処分できるので、廃棄物処理を容易にして資源回収に役立てられるという利点がある。また、使用に際しては、折畳まれている容器をそのまま開くだけで直ちに飲料ビンとともに氷などの冷却材料を内部に受入れることができるので、取扱いが容易であるという利点がある。しかも、この容器をマチ部で折畳むとその内側にボトルを受入れるスペースが形成され、外装箱内に収めると飲料ビンの包装時における緩衝材としての機能を発揮できるという副次的な効果を奏する。
【００１１】
また、第２発明によれば、容器の側面板部の先端部が容器の縁から突き出して対向配置されるので、この突き出し部分を持ち手として使用でき、この容器を包装箱内でのビンの緩衝体として利用するときは、その持ち手が上向きに突き出しているので、その持ち手部分を掴んで包装箱内から引き出すようにすればよく、取扱いを容易にする。また、第３発明を採用することにより、使用済み後での廃棄処分に際して内面のプラスチックフィルム層を剥がすときに、剥離開始用の摘持部から剥離操作をすることで、狭い部分から広い面積の部分を簡単に剥離させることができる。
【発明を実施するための最良の形態】
【００１２】
次に本発明による容器の具体的な実施の形態について、図面を参照しつつ説明する。
【００１３】
図１には本実施形態の容器の全体斜視図が示されている。図２には図１で示された容器を展開して表わす図が、図３には本実施形態の容器を開いた状態での平面図（ａ）と図（ａ）におけるＡ−Ａ線に沿った断面図（ｂ）が、図４には容器を形成する複合シートの一部拡大断面図が、それぞれ示されている。
【００１４】
この実施形態の容器１は、ビン入り飲料冷却用の容器であり、板紙３の内面となる全面にプラスチックフィルム５が剥離可能に積層された複合シート２を用い、一枚のブランク６から組立てられて底部１１よりも開口部８が大きく拡開する形状に形成されている。
【００１５】
この容器１のブランク６は、展開状態で図２に示されるように、所要寸法の正方形にされた底部１１が中央に位置して、その底部１１の周囲各辺に折目線ａ（本発明の折り曲げ線。以下同じ）を介してその一辺の幅で所要長さの側面板部１２，１２，１３，１３がそれぞれ配され、それら各側面板部１２，１２，１３，１３の両側で折目線ｂ，ｂ（ｃ，ｃ）を介してそれぞれ相互にマチ１４，１４，１４，１４により連接されている。なお、前記各側面板部１２，１２，１３，１３の先端部分は相互に繋がるマチ１４よりも長く形成して把持部（持ち手）１２ａとされており、そのうち相対向する二箇所の側面板部１３，１３の先端部分には板紙側に切目線ｄを設けて、その切目線ｄから先が使用済み後に積層されているプラスチックフィルム５の層を剥離容易なようにする剥離摘持片１５とされている。
【００１６】
前記各マチ１４部分は、前記把持部１２ａを備える側面板部１２を基準にして、底部１１のコーナから外周に向かって４５°の位置にマチ中央内折目線ｅ（ここで言う折目線の向きは、製品の内面となる面に対して表示している。以下同じ）が付され、そのマチ中央内折目線ｅの両側でそれぞれ側面板部１２，１２，１３，１３に隣接する二等辺三角形のマチ部位１４ａ，１４ａが、その端縁長さＬ′を前記側面板部１２（１３）の幅寸法Ｌ（図上代表して１箇所にのみ表示する）よりもやや短い寸法となる位置と前記マチ中央内折目線ｅに直交する端縁１４ｍとを結ぶ交点ｑから底部のコーナに到る折目線ｆがそれぞれ設けられ、これら各折目線ｂ〜ｆによって、マチ１４が三角状に四つ折できるように形成されている。なお、前記各剥離摘持片１５を備える側面板部１３と隣接するマチ部位１４ａ′およびそのマチ部位１４ａ′に隣接する中間のマチ部位１４ｂとの各連接部の折目では、いずれも外折目線ｆ′とされている（図中、外折目線ｃ，ｆ′は一点鎖線で表わしている）。符号１４ｃは中間マチ部位である。
【００１７】
この容器１を形成するのに用いられる複合シート２は、適宜厚さの板紙３の片面（容器の内面側）に非有機溶剤系の接着剤を希釈してなる接着剤層４が塗布形成されて、その上面に透明なプラスチックフィルム５を全面にわたり一体的に貼着して形成されている。なお、前記板紙３としては、表面乃至表裏両面に所要の図柄などを印刷し、使用時に飲料ビンや氷を充填してその内容物による内圧に耐える強度が得られる坪量のシートであるのが好ましい。また、プラスチックフィルム５としては、バリアー性が高くて膜厚が薄いものであるのが好ましい。例えばポリプロピレンやポリエチレン樹脂などのフィルムが用いられる。また、前記接着剤の希釈については、剥離性が容易に確保できるように調整されるのが望ましい。
【００１８】
前述のように形成されるブランク６は、組立てるに際して、図３（ａ）に一部を拡大して示されるように、各マチ１４における両側面板部１３に連接する各マチ部位１４ａ′と中間のマチ部位１４ｂとのいずれか一方の外側面の一部に糊付け１７（図中点斜線で示す）して、これらマチ部位１４ａ′と１４ｂとを貼り合わせる。こうすることにより各マチ１４では、外折目線ｆ′によって折り曲げられた前記マチ部位１４ａ′と１４ｂが重ね合わされることにより、マチ１４が相互に引き寄せられて中央内折目線ｅに沿ってフリーの状態で前記マチ部位１４ｂと連接するマチ部位１４ｃが外側に重ね合わされる。その結果、内折目線ｆの外面側を稜線として三つ折されたマチ部位（１４ａ′，１４ｂ，１４ｃ）と把持部１２ａを備える側面板部１２寄りのマチ部位１４ａが隣接する状態となり、開口部８を大きく広げた勾配面を形成する四角形の容器が形成される（図１および図３（ｂ）参照）。
【００１９】
使用に際しては、図５に使用状態の一具体例を示す斜視図によって示されるように、容器１を開口部８が拡開状態にしてテーブル上におき、容器１の内部に冷却するワインや日本酒などの飲料入りビン４０を中央部に立ててその周りに塊状に砕いた氷４５を詰め込むようにする。本実施形態の容器１は、開口状態にすると、前述のように四方の側面板部１２，１２，１３，１３が、折畳まれて糊付けされているマチ１４部分で相互に拘束されて箱形になっているので、折畳み状態から開くと、別途組立操作を行わなくとも氷などを内部に投入し、簡易のボトルクーラボックスとして使用することができる。
【００２０】
こうすれば、容器１は、底部１１が比較的広い面積で中央部に位置するとともに、開口部８から底部１１に向かって四方の側面板部１２，１２，１３，１３とそれらを繋ぐマチ１４部分が全体として平均した傾斜面をもって取り囲んでいるので安定状態で載置保持され、飲料入りビン４０を冷やすことができる。容器１は内面をプラスチックフィルム層５で覆われた複合シート２で継ぎ目なしに折り曲げ形成されているので解けた水が外部に漏れ出すことはない。また、冷やされる飲料入りビン４０は、開口部８が比較的広く形成されるので、直立状態のみならず傾斜させて挿入することもできる。
【００２１】
また、容器１を持ち運ぶ際には、開口部８の縁から上に突き出して対向する位置の両把持部１２ａを持って運ぶようにすることができる。もちろん、内容物の質量が重い場合は容器１の底部を抱えて運ぶようにしてもよい。この場合、容器は開口状態で内容物が入っていても、前述のように各側面板部１２，１２，１３，１３と各マチ１４部分とがマチ部位１４ａ′と１４ｂ箇所で接着して箱形に結合されているので、途中で分解することなく取扱える。
【００２２】
また、この容器１は、使用済みになって廃棄処分するときには、図６にプラスチックフィルム層の剥離開始の要領を表わす図で示されるように、容器１の一部側面板部１３に付されている剥離摘持片１５を指５０で摘んで内側に引けば、その剥離摘持片１５が切目線ｄから千切れて、その剥離摘持片１５に付着するプラスチックフィルム層５部分とともに、容器１の内面に貼着されているプラスチックフィルム層５を板紙層３から引き剥がし、そのまま手前へ引くことにより分離することができる。したがって、容器１はそのマチ１４部分での糊付け部分を分解して、構成する複合シート２の板紙３からプラスチックフィルム層５を剥がすことにより、廃棄処分する際に、紙とプラスチックフィルムとに分別してリサイクル容易な状態で分別処理することができるのである。
【００２３】
一方、本実施形態の容器１は、簡易のボトルクーラボックスとして使用する前の段階で、図７（ａ）（ｂ）にて示されるように、容器として拡開状態から各マチ１４部分を矢印Ｄで示すように側面板部１３側に引き寄せて、各側面板部１２，１２，１３，１３を同時に矢印Ｅ，Ｆのように引き起こし、同図（ａ）で拡大して模式的に表わすように両方のマチ１４，１４部分を側面板部１３の外面に沿わせるように折畳む。こうすると、各側面板部１２，１２，１３，１３で四方を取り囲んで、側面板１３，１３の外側に、それぞれ連接するマチ１４部分が折畳まれて沿い、上面を開放した長方形の箱体１Ａに形成される（図７（ｂ）にてその外側面から見た図参照）。
【００２４】
このように形成された箱体１Ａの内部空間に包装するビン（例えばワインのビン、あるいは瓶詰めされた日本酒）を挿入して、これを内箱として外装用の箱（包装箱４５）に詰め込むと、図８に示されるようになる。こうして包装すれば、前記箱体１Ａがビン４０の緩衝体となり、輸送時におけるビンを外力から保護する役目を果たす。したがって、例えば、本実施形態の容器１と飲料ビンとをセットにして包装販売すれば、この包装箱から取出した容器１をボトルクーラボックスとして、飲料ビンを冷却して飲料を冷やして飲むという具合に使用することができる。
【００２５】
こうして包装箱５０内に前記箱体１Ａを挿入されて包装するビン４０の緩衝体にした場合、その包装箱５０から前記箱体１Ａを取り出すときは、上向きに突き出した状態にある把持部１２ａ，１２ａを手で掴んで、内包するビン４０とともに、包装箱５０内から引き出すようにすることで、簡単に取出すことができる。
【００２６】
上述したように、本実施形態の容器によれば、簡単な構成で飲料冷却用の容器を紙製（複合シート）によって形成でき、取扱い上も簡便で、ワインや日本酒を冷して一般家庭や場合によっては野外で飲用を手軽に楽しむことができる。そして、用済みになって処分するときには、プラスチックフィルム部分を剥離して、紙とプラスチックとに分別して廃棄できるので、資源のリサイクルに役立ち環境改善に寄与することができるので、高価なボトルクーラボックスを用意することなく経済的であるという利点がある。また、飲料ビンの包装時に緩衝体として包装に併用することで、高価なワインなどと組合わせると実用的効果を高めることができる。
【図面の簡単な説明】
【００２７】
【図１】本実施形態の容器の全体斜視図
【図２】図１で示された容器を展開して表わす図
【図３】本実施形態の容器を開いた状態での平面図（ａ）と図（ａ）におけるＡ−Ａ線に沿った断面図（ｂ）
【図４】容器を形成する複合シートの一部拡大断面図
【図５】使用状態の一具体例を示す斜視図
【図６】プラスチックフィルム層の剥離開始の要領を表わす図
【図７】本実施形態の容器を縮小させてビン包装時の緩衝体に併用する場合の折畳みの態様を説明する図（ａ）とその組立状態の側面図（ｂ）
【図８】包装箱内に緩衝体として組込んだ態様を表わす斜視図
【符号の説明】
【００２８】
１    容器
１Ａ    箱体（緩衝体）
２    複合シート
３    板紙
４    接着剤層
５    プラスチックフィルム
６    ブランク
８    容器の開口部
１１    底部
１２，１３    側面板部
１２ａ    把持部
１４    マチ部分
１５    剥離摘持片
１７    マチ部位の糊付け部分
４０    ビン
４５    氷
５０    包装箱
【図１】
2006335361.tif 000003
【図２】
2006335361.tif 000004
【図３】
2006335361.tif 000005
【図４】
2006335361.tif 000006
【図５】
2006335361.tif 000007
【図６】
2006335361.tif 000008
【図７】
2006335361.tif 000009
【図８】
2006335361.tif 000010